(57)【要約】【課題】  ペット用ガムの一部を覆い、ペットに噛まれて小さくなったペット用ガムを、ペットが飲み込んでしまうことを防ぐ飲み込み防止具を提供する。【解決手段】  ペット用ガム５Ａの一部を覆うケース１と、ケース１をペット用ガム５Ａに固定するためのスリット２３及びテーパねじ４とを飲み込み防止具に設ける。ケース１のケース本体２に結び目５１を収容し、キャップ３をケース本体２にねじ込むことによりスリット２３を狭めて結び目５１にケース１を固定する。【選択図】      図１
2006000080.tif 000002
【特許請求の範囲】
【請求項１】
ペット用ガムの一部を覆うケースと、前記ケースを前記ペット用ガムに固定する固定手段とを具備することを特徴とする飲み込み防止具。
【請求項２】
前記ケースは、前記ペット用ガムの結び目を収容でき、一端には前記結び目が通過可能な開口部が、他端には前記結び目から延びる前記ペット用ガムの本体部を通す通し穴がそれぞれ設けられたケース本体と、
前記開口部を閉じるキャップと、を備え、
前記固定手段として、前記開口部と前記キャップとの間にテーパねじを設けるとともに、前記テーパねじを締めた際、幅が変化するスリットを前記ケース本体に設けていることを特徴とする請求項１に記載の飲み込み防止具。
【請求項３】
前記スリットが、前記一端から前記通し穴まで延びていることを特徴とする請求項２に記載の飲み込み防止具。
【請求項４】
前記通し穴の周囲にフランジが設けられていることを特徴とする請求項２又は３に記載の飲み込み防止具。
【請求項５】
前記通し穴の周囲にブラシが設けられていることを特徴とする請求項２〜４のいずれか一項に記載の飲み込み防止具。
【請求項６】
前記ケースには、前記ペット用ガムを貫通させる貫通穴が設けられ、
前記固定手段として、前記貫通穴まで達するように、前記ケースに取り付けられる固定ねじを備えていることを特徴とする請求項１に記載の飲み込み防止具。
【請求項７】
前記ケースとして、前記ペット用ガムの両端にそれぞれ設けられる一対のケース本体を備え、前記固定手段として、前記一対のケース本体を互いに引き合うよう弾性変形可能な腕を備えていることを特徴とする請求項１に記載の飲み込み防止具。
【発明の詳細な説明】
【技術分野】
【０００１】
本発明は、ペットが噛むためのガムに装着される飲み込み防止具に関する。
【背景技術】
【０００２】
犬などのペットに噛ませることによってペットの歯茎を丈夫にし、歯槽膿漏を防止するためにペット用のガムが市販されている。このペット用ガムは例えば牛皮製であり、棒状で両端に結び目を作った形状、あるいは棒状で全体をねじらせた形状を備えている。
【発明の開示】
【発明が解決しようとする課題】
【０００３】
しかしながら、ペット用ガムは噛んでいるうちに小さくなっていき、一口大になったところでペットが飲み込んでしまうことがある。
【０００４】
そこで、本発明はペット用ガムの一部を覆い、ペットに噛まれて小さくなったペット用ガムを、ペットが飲み込んでしまうことを防ぐ飲み込み防止具を提供する。
【課題を解決するための手段】
【０００５】
本発明は、ペット用ガム（５Ａ；５Ｂ）の一部を覆うケース（１；６１；７１）と、前記ケースをペット用ガムに固定する固定手段とを具備する飲み込み防止具によって、上述した課題を解決する。
【０００６】
この飲み込み防止具によれば、ケースでペット用ガムを覆い、ケースを固定手段にてペット用ガムに固定することにより、ペット用ガムの一部をペットに噛まれないように隠し、かつその部分の見かけの大きさをケースにて拡大することができる。従って、ペット用ガムが噛まれて小さくなっても、ペットが飲み込み込むおそれがない。
【０００７】
本発明の飲み込み防止具の一態様において、前記ケース（１）は、前記ペット用ガム（５Ａ）の結び目（５１）を収容でき、一端には前記結び目が通過可能な開口部（２１）が、他端には前記結び目から延びる前記ペット用ガムの本体部（５２）を通す通し穴（２２）がそれぞれ設けられたケース本体（２）と、前記開口部を閉じるキャップ（３）と、を備え、前記固定手段として、前記開口部と前記キャップとの間にテーパねじ（４）を設けるとともに、前記テーパねじを締めた際、幅が変化するスリット（２３）を前記ケース本体に設けてもよい。
【０００８】
この態様によれば、ケース本体に結び目を収めつつ、通し穴からペット用ガムを引き出した状態でキャップを被せてテーパねじを締めることにより、スリットの幅を狭めて、結び目の大きさに合うようにケース本体を収縮させ、ケースを結び目の周囲に固定することができる。これによりペット用ガムの結び目をケースで隠してペット用ガムの見かけの大きさを拡大し、それによりペットの飲み込みを防止することができる。
【０００９】
本発明の飲み込み防止具の一態様において、前記スリットが、前記一端から前記他端まで延びていてもよい。この態様によれば、両端に結び目のあるペット用ガムにおいてもスリットを利用してペット用ガムをケース本体に収めることができる。
【００１０】
本発明の飲み込み防止具の一態様において、前記通し穴の周囲にフランジ（２４）が設けられていてもよい。この態様によれば、本来のケースの大きさよりもケースの見かけを、フランジによって大きくすることができるので、ペットの飲み込み防止効果を高めることができる。またペットがペット用ガムを噛む際に、フランジを利用して両足でペット用ガムを支えることができるので、噛みやすくなる。
【００１１】
本発明の飲み込み防止具の一態様において、前記通し穴の周囲にブラシ（２５）が設けられていてもよい。この態様によれば、ペット用ガムを噛む際に、ブラシがペットの歯にこすれる様になり、歯垢を除去する効果が期待できる。
【００１２】
本発明の飲み込み防止具の一態様において、前記ケース（６１）には、前記ペット用ガム（５Ｂ）を貫通させる貫通穴（６２）が設けられ、前記固定手段として、前記貫通穴まで達するように、前記ケースに取り付けられる固定ねじ（６４）を備えていてもよい。この態様によれば、ペット用ガムを、貫通穴に収め且つ固定ねじをペット用ガムに食い込ませることで、ケースをペット用ガムに固定することができる。これによりケースにてペット用ガムの一部を隠してその見かけの大きさを拡大し、それによりペットの飲み込みを防止することができる。
【００１３】
本発明の飲み込み防止具の一態様において、前記ケース（７１）として、前記ペット用ガムの両端にそれぞれ設けられる一対のケース本体（７３）を備え、前記固定手段として、前記一対のケース本体を互いに引き合うよう弾性変形可能な腕（７２）を備えていてもよい。この態様によれば、一対のケース本体には互いを引き合うような弾性力が、腕によって働いているため、一対のケース本体でペット用ガムをはさみ、ペット用ガムをケースに固定することができる。これによりケースにてペット用ガムの一部を隠しつつその見かけの大きさを拡大し、それによりペットの飲み込みを防止することができる。
【００１４】
なお、以上の説明では本発明の理解を容易にするために添付図面の参照符号を括弧書きにて付記したが、それにより本発明が図示の形態に限定されるものではない。
【発明の効果】
【００１５】
以上に説明したように、本発明の飲み込み防止具によれば、固定手段によってケースをペット用ガムに固定させることができ、ケースにてペット用ガムの一部を拡大した状態に維持することにより、ペットの飲み込みを防止することができる。
【発明を実施するための最良の形態】
【００１６】
図１に本発明の飲み込み防止具の一形態を示す。本発明の対象となるペット用ガム（以下、ガムと略称する。）５Ａは、本体部５２と、その本体部５２の先端に設けられた結び目５１とを備えている。ガム５Ａは牛皮製であり、スティック状の本体部５２の両端（図では一端側のみ示す。）に結び目５１を形成した状態で市販されている。本発明の飲み込み防止具は、結び目５１をケース１で覆い隠した状態でガム５Ａに固定される。
【００１７】
図２は飲み込み防止具の正面図、図３はその平面図である。また、図４は飲み込み防止具の分解状態を示す図である。これらの図に示すように、ケース１はケース本体２とキャップ３とを備えている。ケース本体２及びキャップ３は、例えばプラスチックを素材とした成形品である。ケース本体２は結び目５１が収容できる大きさの椀型に形成されている。ケース本体２は、その一端に開口部２１を備え、他端に通し穴２２を備えている。開口部２１の大きさは結び目５１が通過可能な大きさである。通し穴２２の大きさはガム５Ａの本体部５２が通る大きさである。
【００１８】
ケース本体２の外周には、一端（開口部２１の周縁）から他端に向かってテーパ雄ねじ４１が設けられている。また、ケース本体２の側面には、開口部２１から通し穴２２にかけてスリット２３が設けられている。スリット２３の大きさは、キャップ３を取り外した状態で、ガム５Ａの本体部５２が通過可能な大きさに設定されている。
【００１９】
通し穴２２の周囲にはフランジ２４が設けられている。図３に示すように、フランジ２４はケース本体２の通し穴２２の周縁から四方にケース本体２よりも突出するように設けられている。フランジ２４はケース本体２と一体に成形されてもよいし、ケース本体２とは別部品として成形され、後工程でケース本体２に固定されてもよい。なお、フランジ２４はケース本体２よりも外側に突出していればよく、その形状は図示のものに限定されない。フランジ２４の表面（図１において下面）には多数の凸部２６が設けられている。また、通し穴２２の周囲にはブラシ２５がケース本体２の外側に突出するように設けられている。
【００２０】
キャップ３は、下方に向かって開口する椀型に形成されている。キャップ３の内面にはケース本体２のテーパ雄ねじ４１にねじ込み可能なテーパ雌ねじ４２が設けられている。これらの雄ねじ４１と雌ねじ４２とによってテーパねじ４が構成される。
【００２１】
以上の構成によれば、通し穴２２に本体部５２を通しつつ、結び目５１をケース本体２に収め、テーパねじ４を締め合わせることでスリット２３の幅を減少させ、結び目５１の周囲にケース１を固定することができる。結び目５１の周囲にケース１を固定することで、ケース１によってガム５Ａの一部を覆い隠し、その見かけの大きさを拡大し、これによりペットの飲み込みを防止することができる。なお、この実施形態においては、スリット２３とテーパねじ４とによって固定手段が構成されている。
【００２２】
フランジ２４により、ケース１の見かけの大きさをさらに拡大して、ペットの飲み込み防止効果を高めることができる。また、ペットがガム５Ａを噛む際には、図１に示した状態に対してケース１が上下に反転されてケース本体２がペットの前足で抱え込まれるようになるが、その場合にフランジ２４が前足に覆い被さるように延びるので、ガム５Ａが安定してこれを噛みやすくなる効果がある。ペットがガム５Ａを噛む際にはブラシ２５がペットの歯や歯茎に接するようになるので、歯垢の除去や歯槽膿漏の防止を図ることができる。さらに、フランジ２４の表面の凸部２６によっても歯垢の除去や歯槽膿漏の防止を図ることができる。
【００２３】
図５に飲み込み防止具の他の形態を示す。この飲み込み防止具は棒状にねじられたガム５Ｂを対象とするものである。ガム５Ｂに結び目は存在しない。飲み込み防止具は、ガム５Ｂの一部を覆うことのできるケース６１を備え、そのケース６１がガム５Ｂに固定される。ケース６１は例えば、プラスチックを素材とした成形品である。
【００２４】
ケース６１はほぼ球状であり、その中心を貫く貫通穴６２を備えている。貫通穴６２はガム５Ｂを通すことができる直径を有している。また、ケース６１には、ケース６１の中心から貫通穴６２と直交する方向に延びる一対のねじ穴６３、６３が設けられている。各ねじ穴６３には固定手段としての固定ねじ６４がねじ込まれている。固定ねじ６４の長さはねじ穴６３の深さよりも長く、その端部には固定ねじ６４を操作するための摘み部６５が設けられている。
【００２５】
以上の形態においては、貫通穴６２にガム５Ｂを通し、固定ねじ６４を締付けてそれらの先端をガム５Ｂに食い込ませることによって、ガム５Ｂにケース６１を固定することができる。これにより、ガム５Ｂの一部をケース６１で覆い隠しつつ、ガム５Ｂの見かけの大きさを拡大してペットの飲み込みを防止することができる。
【００２６】
図６は飲み込み防止具のさらに他の形態を示す。この飲み込み防止具はガム５Ｂに装着されるものであり、ケース７１とこれをガム５Ｂに固定するための固定手段としての腕７２とを備えている。ケース７１は一対のケース本体７３を備えている。各ケース本体７３は球状に形成され、ガム５Ｂの端部を受入れるためのガム取付穴７４を備えている。腕７２はケース本体７３を連結するように設けられ、その中央には蛇腹状の伸縮部７５が設けられている。
【００２７】
以上の形態においては、腕７２の伸縮部７５を伸ばして一対のケース本体７３のガム取付穴７４にガム５Ｂを挿入すると、腕７２の伸縮部７５が縮んで一対のケース本体７３がガム５Ｂに対して抜け止めされ、ケース７１がガム５Ｂに固定される。これにより、ガム５Ｂの両端部をケース７１にて覆い隠してガム５Ｂの見かけの大きさを拡大し、ペットの飲み込みを防止することができる。
【００２８】
本発明は上述した形態に限定されることなく、種々の形態にて実施することができる。例えば、固定手段は、ケースをガムに対して固定できるものであればよく、ボルト、ビス等のねじ部材、ピンやリベット、その他の各種の固定部材を利用してよい。図１〜図４の形態においてフランジやブラシは必ずしも設けなくてもよいし、反対に、図５又は図６の形態においてフランジやブラシを設けてもよい。本発明の飲み込み防止具が適用されるペット用ガムは図示のものに限らず、例えばリング状であってもよい。
【図面の簡単な説明】
【００２９】
【図１】本発明の飲み込み防止具の実施形態を示す正面図。
【図２】図２の飲み込み防止具のみの正面図。
【図３】図２の飲み込み防止具の平面図。
【図４】図２の飲み込み防止具の分解状態の図。
【図５】本発明の飲み込み防止具の他の一形態を示す図。
【図６】本発明の飲み込み防止具のさらに他の一形態を示す図。
【符号の説明】
【００３０】
１  ケース
２  ケース本体
３  キャップ
４  テーパねじ（固定手段）
５  Ａペット用ガム
５  Ｂペット用ガム
２１  開口部
２２  通し穴
２３  スリット（固定手段）
２４  フランジ
２５  ブラシ
５１  結び目
５２  本体部
６１  ケース
６２  貫通穴
６４  固定ねじ（固定手段）
７１  ケース
７２  腕（固定手段）
７３  一対のケース本体
【図１】
2006000080.tif 000003
【図２】
2006000080.tif 000004
【図３】
2006000080.tif 000005
【図４】
2006000080.tif 000006
【図５】
2006000080.tif 000007
【図６】
2006000080.tif 000008